(57)【要約】【課題】  複数機種の電気掃除機に適合させることができて、集塵袋の導入口と掃除機本体との隙間からの塵もれを防止できる電気掃除機用集塵袋を、簡単な設備で安価に製造できるようにした電気掃除機用集塵袋を提供する。【解決手段】開口部１１を有する袋本体１０の外面上に、導入口２１を有する口紙２０の裏面が、開口部１１と導入口２１とが導通するように接着されており、口紙２０には、導入口２１の外側に環状の第１のミシン目２１ｂが設けられており、かつ口紙２０の表面上には、口紙２０の導入口２１と同形状の孔３１を有する環状のパッキン３０が、導入口２１の周縁と孔３１の周縁とが重なり合うように接着されるとともに、パッキン３０には、第１のミシン目２１ｂと略重なり合う位置に環状の第２のミシン目３１ｂが設けられている電気掃除機用集塵袋。【選択図】        図１
2005065973.tif 000002
【特許請求の範囲】
【請求項１】
開口部を有する袋本体の外面上に、導入口を有する口紙の裏面が、前記開口部と前記導入口とが導通するように接着されている電気掃除機用集塵袋であって、
前記口紙には、前記導入口の外側に環状の第１のミシン目が設けられており、かつ前記口紙の表面上には、該口紙の前記導入口と同形状の孔を有する環状のパッキンが、該導入口の周縁と該孔の周縁とが重なり合うように接着されるとともに、該パッキンには、前記第１のミシン目と略重なり合う位置に環状の第２のミシン目が設けられていることを特徴とする電気掃除機用集塵袋。
【請求項２】
前記パッキンの第２のミシン目の中心点と該パッキンの孔の中心点とは一致しており、前記口紙の第１のミシン目の中心点と前記口紙の導入口の中心点とは異なっていることを特徴とする請求項１記載の電気掃除気用集塵袋。
【請求項３】
請求項１または２に記載の電気掃除機用集塵袋を製造する方法であって、前記口紙の導入口に緩みなく挿通可能な棒を備えた治具を用い、予め前記口紙と前記パッキンの接着面の少なくとも一方に接着剤層を設けておき、前記口紙の導入口を前記棒に挿通させる工程と、前記パッキンの孔を前記棒に挿通させる工程を交互に行った後、前記口紙と前記パッキンとを互いに密着し合う方向に押圧して両者を接着させる工程を有することを特徴とする電気掃除機用集塵袋の製造方法。
【発明の詳細な説明】
【技術分野】
【０００１】
本発明は、電気掃除機用集塵袋およびその製造方法に関するものである。
【背景技術】
【０００２】
電気掃除機用集塵袋としては、開口部を有する袋本体と導入口を有する口紙とを、これら導入口と開口部とが略同一の位置になるように接着してなるものが一般的である。
通常、集塵袋は電気掃除機本体の集塵室内に装着され、掃除機のノズルの先端が口紙の導入口および袋本体の開口部から袋本体内に挿入された状態で使用される。
そして、従来より、口紙の形状を工夫することにより、種々の機種の電気掃除機の集塵部に適合可能とした汎用タイプの電気掃除機用集塵袋が提案され市販されている（例えば下記特許文献１，２）。
【特許文献１】特許第２５６２０８号公報、
【特許文献２】実公平６−０２５２５１号公報
【０００３】
このような汎用タイプの電気掃除機用集塵袋にあっては、複数機種の電気掃除機に対する良好な適合性を達成するための様々な工夫が提案されている。
例えば、口紙の導入口の周囲に、該導入口よりも一回り大きい環状のミシン目を形成するとともに、該ミシン目の周囲にパッキンを貼り合わせることが提案されている。かかる構成は、該集塵袋を電気掃除機本体の集塵室内に装着して使用する際に、口紙の導入口と掃除機のノズルとの隙間からの塵もれが生じるのを防止するのに有効である。
また、口紙の導入口部分を前記ミシン目から切り取ることにより、導入口を一回り大きくして使用することができるので、複数機種の電気掃除機に適合させるうえで都合がよい。
【発明の開示】
【発明が解決しようとする課題】
【０００４】
しかしながら、かかる構成を有する集塵袋は、前記口紙の導入口の外側に設けられたミシン目の周囲にパッキンを貼り合わせる際に精密な位置合わせが必要となる。そのため、大量に製造するにはロボットアームを備えた装置を使用するなど、設備が大掛かりになってしまい、その結果、製造コストが増大するという問題があった。
【０００５】
本発明は、上記事情に鑑みてなされたもので、複数機種の電気掃除機に適合させることができて、集塵袋の導入口と掃除機本体との隙間からの塵もれを防止できる電気掃除機用集塵袋を、簡単な設備で安価に製造できるようにした電気掃除機用集塵袋およびその製造方法を提供することを目的とする。
【課題を解決するための手段】
【０００６】
上記の目的を達成するために、本発明は以下の構成を採用した。
本発明の電気掃除機用集塵袋は、開口部を有する袋本体の外面上に、導入口を有する口紙の裏面が、前記開口部と前記導入口とが導通するように接着されている電気掃除機用集塵袋であって、前記口紙には、前記導入口の外側に環状の第１のミシン目が設けられており、かつ前記口紙の表面上には、該口紙の前記導入口と同形状の孔を有する環状のパッキンが、該導入口の周縁と該孔の周縁とが重なり合うように接着されるとともに、該パッキンには、前記第１のミシン目と略重なり合う位置に環状の第２のミシン目が設けられていることを特徴とする。
【０００７】
好ましくは、前記パッキンの第２のミシン目の中心点と該パッキンの孔の中心点とは一致しており、前記口紙の第１のミシン目の中心点と前記口紙の導入口の中心点とは異なっている構成とする。
【０００８】
また本発明は、本発明の電気掃除機用集塵袋を製造する方法であって、前記口紙の導入口に緩みなく挿通可能な棒を備えた治具を用い、予め前記口紙と前記パッキンの接着面の少なくとも一方に接着剤層を設けておき、前記口紙の導入口を前記棒に挿通させる工程と、前記パッキンの孔を前記棒に挿通させる工程を交互に行った後、前記口紙と前記パッキンとを互いに密着し合う方向に押圧して両者を接着させる工程を有することを特徴とする電気掃除機用集塵袋の製造方法を提供する。
【発明の効果】
【０００９】
本発明の電気掃除機用集塵袋によれば、口紙の表面上に、該口紙の導入口と同形状の孔を有する環状のパッキンが、前記導入口の周縁と前記孔の周縁とが重なり合うように接着されているので、この導入口と掃除機のノズルとの隙間からの塵もれを効果的に防止することができる。また口紙とパッキンとの位置合わせは、口紙の導入口の周縁とパッキンの孔の周縁とを重ね合わせればよいので簡単な設備で容易に行うことができる。
また、パッキンには、口紙の第１のミシン目と略重なり合う位置に環状の第２のミシン目が設けられているので、口紙の導入口部分を第１のミシン目から切り取るとともに、パッキンの孔部分を第２のミシン目から切り取ることにより、口紙の導入口およびパッキンの孔を容易に拡大させることができる。したがって、ノズル径が異なる複数機種の電気掃除機に適合させることができる。また、このようにして拡大された導入口の周囲にはパッキンが設けられているので、該拡大された導入口と掃除機のノズルとの隙間からの塵もれを効果的に防止することができる。
【００１０】
また、口紙の第１のミシン目の中心点と該口紙の導入口の中心点とが異なっている構成、すなわち第１のミシン目が導入口に対して偏心している構成とすれば、口紙の端部から導入口の中心までの距離を、第１のミシン目で切り取る前後で変化させることができるので、複数機種の電気掃除機のそれぞれの集塵室の構造に応じて、集塵室内に装着された状態での口紙の導入口の中心位置がより適切な位置となるように設計することができる。これにより、複数機種の電気掃除機に適合性を向上させることができ、口紙の導入口と掃除機のノズルとの隙間からの塵もれをより効果的に防止することができる。
また、口紙の第１のミシン目の中心点と該口紙の導入口の中心点とが異なっていても、パッキンの第２のミシン目の中心点と該パッキンの孔の中心点とは一致している、すなわち第２のミシン目と孔とが同心円状であるので、口紙の表面上にパッキンを接着する際に、パッキンの向きは任意とすることができる。したがって、製造時における位置合わせの煩雑化を招くことなく、上記のように口紙の第１のミシン目を偏心させて複数機種の掃除機に対する適合性を向上させることができる。
【００１１】
また、本発明の電気掃除機用集塵袋の製造方法によれば、治具に設けられている棒に、口紙の導入口を挿通させる工程と、パッキンの孔を挿通させる工程を行うことにより、簡単に、口紙の導入口の周縁とパッキンの孔の周縁とを重ね合わせることができるので、口紙とパッキンの位置合わせを容易に行うことができる。そして、予め口紙とパッキンの接着面の少なくとも一方に接着剤層を設けておき、これらを前記棒に挿通させた後に、互いに密着し合う方向に押圧することにより両者を容易に接着させることができる。したがって、本発明の電気掃除機用集塵袋を簡単な設備で安価に製造することができる。
また、予め前記接着剤層を設けた複数枚の口紙と複数枚のパッキンを、前記棒に交互に挿通させた後、一括的に押圧して複数対の口紙とパッキンをそれぞれ同時に接着させることができるので、これにより、製造効率を向上させて製造コストの一層の削減を図ることができる。
【発明を実施するための最良の形態】
【００１２】
以下、本発明の実施形態を図面を参照して説明するが、本発明は以下の実施形態に限定されるものではない。図１および図２は、本発明の電気掃除機用集塵袋の一実施形態を示したもので、図１は平面図、図２は斜視図である。
本実施形態の電気掃除機用集塵袋は、開口部１１を有する袋本体１０の外面上に、導入口２１を有する口紙２０の裏面が、前記開口部１１と導入口２１とが導通するように接着されて概略構成されている。口紙２０の表面上にはパッキン３０が接着されている。
【００１３】
袋本体１０は、集塵された塵埃を収集し、さらにたとえばダニなどの害虫をも捕獲することができるものであり、その素材としてはたとえばパルプ、天然または合成繊維、天然または合成樹脂、ゴム、金属などの材料を紙、フィルム、織布、不織布、シート、プレート、ピースまたは棒状体などの素材に加工した濾材を単独または積層したものが用いられる。
【００１４】
袋本体１０は、１枚の袋体で形成されていてもよく、また２枚以上の袋体を層状に重ねた構成を有するものであってもよい。複数枚の袋体を層状に重ねる場合、内側となる袋体（内袋）は大きな塵埃を除去しうる孔を有する袋体で構成し、外側となる袋体（外袋）は微細な塵埃を除去しうる孔を有する袋体で構成すると、袋本体１０における目詰まりを防ぐうえで好ましい。また、袋本体１０には、捕獲された害虫を防除するために活性物質を固定化してもよく、また袋本体１０内に前記活性物質を固定化したマットまたはシートを設けてもよい。
【００１５】
袋本体１０は、図２に示すように、筒状体の幅方向両端部を内側に折り込んで、蛇腹部１６を有する扁平な帯状体とし、さらに長さ方向両端部を該帯状体の下面側に折り曲げて接着封止することによって折り曲げ部１４を設けた形状に形成されている。袋本体１０の開口部１１は、前記帯状体の上面の略中央部に配置されている。
袋本体１０は、図１に示すように、蛇腹部１６を折り畳んで扁平にした状態で、蛇腹部１６に沿う長辺１２ａ、１２ｂと、折り曲げ部１４に沿う短辺１３ａ、１３ｂを有する略矩形状をなす。短辺１３ａ、１３ｂの長さは、１１３〜１２２ｍｍとされている。そのため、袋本体１０を電気掃除機の集塵室に装着しやすくなっている。また、口紙２０との接着面積を十分に確保できるようになっている。一方、長辺１２ａ、１２ｂの長さは、２３３〜２４２ｍｍとされている。
【００１６】
袋本体１０の開口部１１には、円形をなす周縁１１ａの外側に円環状のミシン目（図示せず）が設けられるとともに、周縁１１ａと該ミシン目との間を放射状につなぐ複数のミシン目１１ｃが設けられている。そして、これらのミシン目を切り取るか否かにより、開口部１１の大きさと若干の位置調整がされるようになってる。周縁１１ａの外側のミシン目は、袋本体１０と口紙２０とが接着された状態で、後述する口紙の第１のミシン目２１ｂと略重なり合う位置か、または該第１のミシン目２１ｂの若干内側に位置するように設けられる。
【００１７】
一方、口紙２０は、電気掃除機の集塵室内の所定の部位に着脱可能に固定される部材であり、ある程度の強度を有する素材で構成される。たとえばパルプ、天然または合成繊維、天然または合成樹脂、ゴム、金属などの材料を、紙、フィルム、織布、不織布、シートまたはプレートなどの素材に加工したもの、またはこれらの素材を積層した積層体等が好適に用いられる。
【００１８】
口紙２０は略矩形の板状で、略中央部に円形の導入口２１が設けられている。
本実施形態においては、便宜上、口紙２０の、外側に向かって幅が漸次縮小する段部が設けられている側の端部を上端部２２、この上端部２２と導入口２１を挟んで反対側の端部を下端部２３、上端部２２と下端部２３の各々の左端を結ぶ端部を左端部２４、上端部２２と下端部２３の各々の右端を結ぶ端部を右端部２５とする。したがって、左端部２４および右端部２５に平行な方向を上下方向とするが、この方向は説明のために便宜的に設けたものであって、該集塵袋を電気掃除機の集塵室に取り付ける際の取付方向を意味するものではない。
【００１９】
下端部２３は、端縁が直線状で、内方に凹部形成手段としてのミシン目２３ａ、２３ｂが設けられている。これらのミシン目２３ａまたは２３ｂｃを切り取るか否かによって、下端部２３が異なる凹凸形状とされるようになっている。
また、上端部２２の内方には、上下方向の長さ、すなわち下端部２３からの距離を調整する手段としてのミシン目２２ａ、２２ｂ、２２ｃ、および凹部形成手段としてのミシン目２２ｄが設けられている。これらのミシン目２２ａ、２２ｂ、２２ｂおよび２２ｄ、または２２ｃおよび２２ｄで切り取ることにより、上端部２２の形状が変化するようになっっている。
左端部２４には外側に膨出する膨出部２４aが設けられるとともに、左端部２４の内方には、幅調整手段としてのミシン目２４ｂ、および凹部形成手段としてのミシン目２４ｃが形成されている。
右端部２５には外側に膨出する膨出部２５ａが設けられるとともに、その内方には、幅調整手段としてのミシン目２５ｂが形成されている。
そして、ミシン目２４ｂおよびミシン目２５ｂを切り取ることにより、左端部２４から右端部２５までの幅が変化するようになっている。またミシン目２４ｃを切り取ることにより、左端部２４に凹部が形成され、突起等に対応できるようになっている。
【００２０】
口紙２０の導入口２１には、円形をなす周縁２１ａの外側に円環状の第１のミシン目２１ｂが設けられている。導入口２１の周縁２１ａと該第１のミシン目２１ｂとの間の幅Ｗ１は、周方向において一様でなく、上端部２２に最も近い部位が最も太く、そこから下端部２３側に向かって漸次縮小し、下端部２３に最も違い部位が最も細くなっている。すなわち、周縁２１ａをなす円の中心点に対して、第１のミシン目２１ｂをなす円の中心点は、口紙２０の上下方向の上側、すなわち、上端部２２から下端部２３に下ろした垂線方向における上端部２２側へ若干ずれている。
そして、ミシン目２１ｂを切り取ることにより、導入口２１の内径の大きさが拡大するとともに、導入口２１の中心点が上端部２２側へ若干移動して、口紙２０の上端部２２から導入口２１の中心点までの距離（および下端部２３から導入口２１の中心点までの距離）が変化するようになっている。
具体的には、導入口２１の周縁２１ａの直径をｄ１とし、第１のミシン目２１ｂの直径をｄ２とし、周縁２１ａの中心位置に対して、第１のミシン目２１ｂの中心位置が、口紙２０の上下方向の上端側へＡだけずれているとき、前記導入口２１の周縁２１ａと該第１のミシン目２１ｂとの間の幅Ｗ１の、最も太い部位と最も細い部位との差は２Ａとなる。このＷ１の差（＝２Ａ）の値は０．５〜１．５ｍｍ程度が好ましく、例えば１ｍｍ程度とされる。
【００２１】
パッキン３０は、弾力性を有する材料で構成され、好ましくはポリウレタンで形成される。口紙２の導入口２１と掃除機のノズルとの隙間からの塵もれを防止するうえで、パッキン３０の厚さは０．５〜１．５ｍｍの範囲が好ましい。具体的には、厚さ１ｍｍ程度のポリウレタンシートを用いてパッキン３０を形成するのがより好ましい。
【００２２】
パッキン３０は円環状で、孔３１を有する。
パッキン３０の孔３１の周縁３１ａは、口紙２０の導入口２１の周縁２１ａと同じ大きさの円形に形成されており、導入口２１の周縁２１ａと孔３１の周縁３１ａとが重なり合うように位置決めされている。
またパッキン３０には、円形をなす周縁３１ａの外側に円環状の第２のミシン目３１ｂが設けられている。パッキン３０の第２のミシン目３１ｂは、口紙２０の第１のミシン目２１ｂと略重なり合う位置に設けられ、口紙２０の導入口２１の第１のミシン目２１ｂを切り取る際に、パッキン３０の孔３１の第２のミシン目３１ｂを一緒に切り取ることにより、口紙２０の導入口２１およびパッキン３０の孔３１が拡大されて略同じ形状となる。拡大された導入口２１はパッキン３０の残部によって包囲された状態となる。
本実施形態において、孔３１の周縁３１ａと該第２のミシン目３１ｂとは同心円状であり、これらの間の幅Ｗ２は、周方向において一様となっている。そして、口紙２０の第１のミシン目２１ｂおよびパッキン３０の第２のミシン目３１ｂを切り取った状態で、口紙２０の拡大された導入口２１内に、パッキン３０の拡大された孔の端部がはみ出さないようにすることが好ましく、そのために、口紙２０の上端部２２に最も近い部位において、パッキン３０の第２のミシン目３１ｂと口紙２１の第１のミシン目２１ｂとが重なり合うように設計するのが好ましい。すなわち、パッキン３０の孔３１の周縁３１ａの中心点および第２ミシン目３１ｂの中心点は、口紙２０の導入孔２１の周縁２１ｂの中心点に一致させ、かつ該孔３１の周縁３１ａの直径は導入口２１の周縁２１ａの直径（ｄ１）と等しくするとともに、パッキン３０の第２のミシン目３１ｂの直径ｄ３は、前記第１のミシン目２１ｂの直径ｄ２よりも、中心点のずれ幅Ａの２倍だけ大きくなる（ｄ３＝ｄ２＋２Ａ）ように設計することが好ましい。
【００２３】
口紙２０は、袋本体１０の短辺１３ａ、１３ｂの長さ方向と、口紙２０の上下方向、すなわち、上端部２２から下端部２３に下ろした垂線方向とが直交するように、かつ口紙２０の導入口２１の周縁２１ａと、袋本体１０の開口部１１の周縁１１ａとが同心円状となるように配置され、袋本体１０の外面と、口紙２１の裏面とが接着されている。
なお、袋本体１０と口紙２０との接着部は、口紙２０に設けられている各ミシン目が該接着部内に存在しないようにその範囲が設定されている。
【００２４】
かかる構成の電気掃除機用集塵袋は、電気掃除機の集塵室内に、袋本体１０を膨らませた状態で装着して使用される。装着時には、口紙２０を集塵室内に設けられている固定部材に挿入し着脱可能に固定するが、本実施形態の集塵袋の挿入方向（セット方向）は、口紙２０の下端部２３が奥に挿入される方向である。また、装着に先立ち、口紙２０の上端部２２、下端部２３、左端部２４、右端部２５、導入口２１、および袋本体１０の開口部１１に設けられているミシン目のうちの必要箇所を切り取ることによって、口紙２０の形状を複数通りに変化させることができる。切り取るべきミシン目は、集塵室に設けられている口紙２０の固定部材の構造に応じて決まる。
【００２５】
次に、本発明の電気掃除機用集塵袋の製造方法の一実施形態として、図１，２に示す構成を有する電気掃除機用集塵袋を製造する方法を例に挙げて説明する。
まず、板状の素材を所定の形状に裁断するとともに、所定の位置にミシン目を設けて口紙２０を作製する。
これとは別に、パッキン３０を用意する。パッキン３０の表裏面のいずれか一方には接着剤層を設ける。例えば、ポリウレタンシートの一面上に接着剤層を介して剥離紙を積層したものを、パッキンの外周、孔３１、および第２のミシン目３１ｂに対応する形状の刃を備えた切断装置で、剥離紙を切断しない深さにカットすることによって、接着剤層を備えたパッキン３０を作製することができる。接着剤としては、例えばアクリル系接着剤が好ましく用いられる。
【００２６】
次に、口紙２０とパッキン３０とを貼り合わせる。図３は、口紙２０とパッキン３０との接着工程に好適に用いられる治具の例を示す斜視図である。この治具は、基台１と、該基台１に対して垂直に立設された断面円形の丸棒２と、基台１の端部に断面Ｌ字状となるように設けられたガイド板３を備えている。
丸棒２は、口紙２０の導入口２１（周縁２１ａ内）に緩みなく挿通できる大きさに形成されている。また丸棒２とガイド板３とは平行で、これらの間の距離は、口紙２０における下端部２３から導入口２１の周縁２１ａまで距離と等しくなるように設計されている。
【００２７】
口紙２０とパッキン３０との接着は、まず、この治具の丸棒２に口紙２０の導入口２１を挿通させる。このとき、口紙２０の表面が上側となるように、すなわち口紙２０のパッキン３０が接着される面が丸棒２の先端側となるようにする。また、口紙２０の下端部２３の端面がガイド板３に当接する向きとする。
続いてパッキン３０の孔３１を丸棒２に挿通させる。このときパッキン３０の接着剤層が下側、すなわち基台１側となるようにする。パッキン３０の向きは任意でよい。
同様にして、丸棒２に、複数対の口紙２０およびパッキン３０をこの順で交互に挿通させる。
そして、丸棒２に挿通された状態で積層された複数対の口紙２０およびパッキン３０を、丸棒２の先端側から基台１に押しつける方向へ一括的に押圧することにより、各対の口紙２０とパッキン３０とを接着剤層を介して接着一体化させる。
こうして得られた、表面上にパッキン３０が接着された口紙２０の裏面を、別途作製した袋本体１０の外面上に接着させることにより、電気掃除機用集塵袋が得られる。
【００２８】
本実施形態によれば、簡単な治具を用いて、口紙２０とパッキン３０の接着を再現性良く、効率的に行うことができるほか、特にガイド板３に口紙２０の端面を当接させることにより、口紙２０の向きが揃うので、押圧の作業がし易く、パッキン３０が接着された口紙２０を次工程に供する際の作業性も良い。
【００２９】
なお、本実施形態では口紙２０の下端部２３の端面がガイド板３に当接するように構成したが、下端部２３に限らず、口紙２０の上端部２２、下端部２３、左端部２４、右端部２５のいずれか一つの端面がガイド板３に当接するように構成してもよい。特に、下端部２３は端縁が直線状であるので、ガイド板に当接させた状態で口紙２０の位置が安定して決まる点でより好ましい。
また、２以上のガイド板を設けて、２以上の端部の端面をそれぞれのガイド板に当接させる構成とすることもできる。
【００３０】
また、丸棒２に口紙２０およびパッキン３０を層通させる順序は任意に決定することができる。例えば、パッキン３０を、その接着剤層が上側（丸棒２の先端側）となるように挿通させ、続いて口紙２０を、その表面が下側（基台１側）となるように挿通させてもよい。
【図面の簡単な説明】
【００３１】
【図１】本発明の電気掃除機用集塵袋の実施形態を示す平面図である。
【図２】本発明の電気掃除機用集塵袋の実施形態を示す斜視図である。
【図３】本発明の電気掃除機用集塵袋の製造方法における口紙とパッキンの接着工程を説明するための斜視図である。
【符号の説明】
【００３２】
１    基台
２    棒
３    ガイド板
１０  袋本体
１１  開口部
２０  口紙
２１  導入口
２１ａ  周縁（導入口）
２１ｂ  第１のミシン目
３０    パッキン
３１    孔
３１ａ  周縁（孔）
３１ｂ  第２のミシン目
【図１】
2005065973.tif 000003
【図２】
2005065973.tif 000004
【図３】
2005065973.tif 000005